(57)【特許請求の範囲】
【請求項１】
鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の全体乃至一部分で該芯管の軸線回りに螺旋状に捩れており、この捩れは樹脂被覆部のみで行われていて芯管は捩れていないことを特徴とする植物栽培用の捩れ樹脂被覆管。
【請求項２】
所要間隔を隔てる直線状の支柱部の上端相互が、逆Ｕ字状をなすアーチ状連結部で連結されてなり、該支柱部と該アーチ状連結部は共に、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の一部分で該芯管の軸線回りに螺旋状に捩れており、この捩れは樹脂被覆部のみで行われていて芯管は捩れておらず、且つ、該アーチ状連結部の少なくとも上端部分においては前記樹脂被覆部が捩れておらず、該上端部分の上側の面と下側の面は水平な平滑面に形成されていることを特徴とする植物栽培用の捩れ樹脂被覆管。
【請求項３】
所要間隔を隔てる直線状の支柱部の上端相互が、逆Ｕ字状をなすアーチ状連結部で連結されてなり、該支柱部と該アーチ状連結部は共に、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の一部分で該芯管の軸線回りに螺旋状に捩れており、この捩れは樹脂被覆部のみで行われていて芯管は捩れておらず、且つ、該アーチ状連結部の全体において前記樹脂被覆部が捩れておらず、該アーチ状連結部の上端部分の上側の面と下側の面は水平な平滑面に形成されていることを特徴とする植物栽培用の捩れ樹脂被覆管。
【請求項４】
前記樹脂被覆部は横断面外形が正六角形状に形成されていることを特徴とする請求項１、２又は３記載の植物栽培用の捩れ樹脂被覆管。
【請求項５】
アーチ状支柱形成管材を用いて請求項３記載の植物栽培用の捩れ樹脂被覆管を製造する製造方法であって、該アーチ状支柱形成管材は、鋼製の直線状の円形管からなる芯管の外表面が樹脂により密着状態に被覆されることによって横断面外形が正六角形状を呈する樹脂被覆部が形成され、該アーチ状支柱形成管材は、中間に位置する、前記アーチ状連結部を形成するアーチ状連結部形成部分と、その両側に位置する、前記直線状の支柱部を形成する支柱部形成部分とからなり、少なくとも該アーチ状連結部形成部分においては、前記樹脂被覆部が捩れておらず、該支柱部形成部分においては、前記芯管の長さ方向の全体乃至一部分で前記樹脂被覆部が該芯管の軸線回りに螺旋状に捩れており、この捩れは樹脂被覆部のみで行われていて芯管は捩れておらず、
前記アーチ状連結部形成部分をＵ字状に屈曲する際、前記アーチ状支柱を立設した状態において前記上端部分の上側の面と下側の面が水平な平滑面を呈し得るように屈曲することを特徴とする植物栽培用の捩れ樹脂被覆管の製造方法。
【発明の詳細な説明】
【技術分野】
【０００１】
本発明は、捩れ部を有する植物栽培用の捩れ樹脂被覆管に関するものであり、より詳しくは、芯管は捩れておらず、該芯管の表面を被覆する、横断面外形が多角形状を呈する樹脂被覆部のみが捩れることによって捩れ部が形成されてなる植物栽培用の捩れ樹脂被覆管に関するものである。又、該植物栽培用の捩れ樹脂被覆管の製造方法に関するものである。
【背景技術】
【０００２】
植物栽培用樹脂被覆管としては、金属製の芯管の表面が樹脂被覆され樹脂被覆部の表面が平滑に形成されたものの他、樹脂被覆部の表面に凹部や凹凸部を形成したものとして、例えば特開平１１−１８５８６号公報（特許文献１）が開示する植物用の支柱や、実用新案登録第３０９６２５１号公報（特許文献２）が開示する植物支持用のアーチ状支柱具等が提案されている。
【０００３】
特許文献１記載の植物用の支柱ａは、例えば図３１に示すように、金属製の芯管ｂの表面ｃを被覆する樹脂被覆部ｄの表面に凹部ｅが分散状態に形成されており、該凹部の深さは、該支柱ａに巻き付いた植物の蔓が下方に滑ることなく固定できる程度に設定されていた。又、特許文献２記載の植物支持用のアーチ状支柱ｆは、例えば図３２〜３４に示すように、プランタ等に立設されて薔薇等の蔓性植物を栽培するために好適に用いられるものであり、所要間隔を隔てる直線状の支柱部ｇ，ｇの上端相互を逆Ｕ字状をなすアーチ状連結部ｈで連結してなるアーチ状を呈しており、該支柱部ｇを構成する金属製の芯管ｉの表面ｊを被覆する樹脂被覆部ｋの表面には、蔓性植物引っ掛かり用の直線状の不連続突部列ｍが設けられていた。
【０００４】
しかしながら、かかる従来の植物栽培用樹脂被覆管は、その樹脂被覆部の表面が平滑面に形成されており、或いは、その樹脂被覆部の表面に凹部ｅが分散状態に形成されていたり、不連続突部列ｋが単純に直線状に連続して設けられているだけであって、樹脂被覆管の外観がありふれていた。そこで、家庭園芸の楽しみを増大させるために、所要の強度を有しながらも斬新な外観を呈する植物栽培用の樹脂被覆管が求められていた。
【０００５】
ところで植物栽培用の支柱の一種として、例えば図３５に示すような、横断面が矩形状等を呈する中実の金属棒材ｎをその軸線回りに螺旋状に捩じることによって支柱外観に変化を付与した捩れ棒材が提案されている。しかしながら、このように製造された捩れ棒材は、中実の金属棒材を用いて形成されていたために、材料費が高く付いて製造コストの上昇を招く問題があった他、捩れ棒材が重くなる問題があった。
【０００６】
そこで、材料の使用量を削減してコスト低減を図ると共に製品の軽量化を図りつつ支柱外観に斬新性を付与せんとして、例えば図３６に示すような、鋼製の円形管からなる芯管ｐの表面ｑに樹脂被覆部ｒを形成した、例えば横断面外形が六角形状を呈する角形樹脂被覆管ｓを想定し、該角形樹脂被覆管ｓの全体を該芯管ｐの軸線回りに螺旋状に捩じることが考えられる。しかしながら、該角形樹脂被覆管ｓの全体をその芯管ｐの軸線回りに螺旋状に捩じったとすれば該芯管は中空であるために折れ易く、所望の螺旋状の捩じり形態を形成し難い。
【先行技術文献】
【特許文献】
【０００７】
【特許文献１】特開平１１−１８５８６号公報
【特許文献２】実用新案登録第３０９６２５１号公報
【発明の概要】
【発明が解決しようとする課題】
【０００８】
本発明は、前記従来の問題点に鑑みて開発されたものであり、植物栽培用の支柱等としての強度を所要に発揮できながら斬新な外観を呈し、加えて、薔薇等の蔓性植物を良好に成長させ得る植物栽培用の捩れ樹脂被覆管の提供を課題とするものである。又本発明は、アーチ状を呈する植物栽培用の捩れ樹脂被覆管を精度よく容易に製造し得る植物栽培用の捩れ樹脂被覆管の製造方法の提供を課題とするものである。
【課題を解決するための手段】
【０００９】
前記課題を解決するため、本発明は以下の手段を採用する。
即ち、本発明に係る植物栽培用の捩れ樹脂被覆管（以下、捩れ樹脂被覆管という）の第１の態様は、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の全体乃至一部分で該芯管の軸線回りに螺旋状に捩れており、この捩れは樹脂被覆部のみで行われていて芯管は捩れていないことを特徴とするものである。
【００１０】
本発明に係る捩れ樹脂被覆管の第２の態様は、所要間隔を隔てる直線状の支柱部の上端相互が、逆Ｕ字状をなすアーチ状連結部で連結されてなり、該支柱部と該アーチ状連結部は共に、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の一部分で該芯管の軸線回りに螺旋状に捩れており、この捩れは樹脂被覆部のみで行われていて芯管は捩れておらず、且つ、該アーチ状連結部の少なくとも上端部分においては前記樹脂被覆部が捩れておらず、該上端部分の上側の面と下側の面は水平な平滑面に形成されていることを特徴とするものである。
【００１１】
本発明に係る捩れ樹脂被覆管の第３の態様は、所要間隔を隔てる直線状の支柱部の上端相互が、逆Ｕ字状をなすアーチ状連結部で連結されてなり、該支柱部と該アーチ状連結部は共に、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の一部分で該芯管の軸線回りに螺旋状に捩れており、この捩れは樹脂被覆部のみで行われていて芯管は捩れておらず、且つ、該アーチ状連結部の全体において前記樹脂被覆部が捩れておらず、該アーチ状連結部の上端部分の上側の面と下側の面は水平な平滑面に形成されていることを特徴とするものである。
【００１２】
前記した各捩れ樹脂被覆管において、前記樹脂被覆部は、横断面外形を正六角形状に形成するのがよい。
【００１３】
本発明に係る植物栽培用の捩れ樹脂被覆管の製造方法は、アーチ状支柱形成管材を用いて前記第３の態様に係る植物栽培用の捩れ樹脂被覆管を製造する製造方法であって、該アーチ状支柱形成管材は、鋼製の直線状の円形管からなる芯管の外表面が樹脂により密着状態に被覆されることによって横断面外形が正六角形状を呈する樹脂被覆部が形成され、該アーチ状支柱形成管材は、中間に位置する、前記アーチ状連結部を形成するアーチ状連結部形成部分と、その両側に位置する、前記直線状の支柱部を形成する支柱部形成部分とからなり、少なくとも該アーチ状連結部形成部分においては、前記樹脂被覆部が捩れておらず、該支柱部形成部分においては、前記芯管の長さ方向の全体乃至一部分で前記樹脂被覆部が該芯管の軸線回りに螺旋状に捩れており、この捩れは樹脂被覆部のみで行われていて芯管は捩じれておらず、前記アーチ状連結部形成部分をＵ字状に屈曲する際、前記アーチ状支柱を立設した状態において前記上端部分の上側の面と下側の面が水平な平滑面を呈し得るように屈曲することを特徴とするものである。
【発明の効果】
【００１４】
本発明は以下の如き優れた効果を奏する。
(1) 本発明に係る捩れ樹脂被覆管は、鋼製の円形管からなる芯管の外表面が樹脂により密着状態に被覆されることによって樹脂被覆部が形成され、該樹脂被覆部は、横断面外形が多角形状に形成されており、該樹脂被覆部は、前記芯管の長さ方向の全体乃至一部分で該芯管の軸線回りに螺旋状に捩れており、この捩れは樹脂被覆部のみで行われていて芯管は捩れていない。
かかることから本発明によるときは、捩れていない芯管によって捩れ樹脂被覆管の強度を所要に確保できながら、螺旋状に捩れた斬新な外観を呈する捩れ樹脂被覆管を提供できることになる。そして、芯管の外表面に樹脂被覆部が密着して形成されているため、芯管と樹脂被覆部が完全に一体化しており、該樹脂被覆部が剥離する恐れがない。又、薔薇等の蔓性植物を栽培する場合に、その茎や蔓が螺旋状の捩れに沿って上方向に伸びるように方向付けできるため、蔓性植物の成長を促すことができる。このようなことから、家庭園芸の楽しみを増大させ得る。
【００１５】
(2) 本発明に係る捩れ樹脂被覆管をアーチ状支柱として応用し、前記連結部の少なくとも上端部分においては、前記樹脂被覆部が捩れておらず且つ該上端部分の上側の面と下側の面を水平な平滑面を呈する如く構成する場合は、例えば、２本のアーチ状支柱をその連結部の上端部分相互を当接させて略直角の交差状態として植物支持枠体を構成するとき、該上端部分相互を面接触状態で当接させることができる。かかることから、該連結部相互を交差状態で安定的に一体化できることとなる。
【００１６】
(3) 特に前記樹脂被覆部を、横断面外形が正六角形状を呈する如く構成する場合は、隣り合う三角形状の角部分間の部分を極力薄く形成しながら、即ち、樹脂使用量を極力少なくしながら、角部分を明瞭に形成することができる。従って、螺旋状の捩れ形態が明瞭である見栄えのよい捩れ樹脂被覆管を経済的に構成できることとなる。
【００１７】
(4) 本発明に係る捩れ樹脂被覆管の製造方法によるときは、アーチ状連結部形成部分は捩じられていないため、該アーチ状連結部形成部分を精度よくしかも無理なく屈曲させることができる。
【図面の簡単な説明】
【００１８】
【図１】本発明に係る捩れ樹脂被覆管の一態様を示す部分正面図である。
【図２】本発明に係る捩れ樹脂被覆管の他の態様を示す部分正面図である。
【図３】その横断面図である。
【図４】直線状に延長する捩れ樹脂被覆管の全体構成を示す正面図である。
【図５】その部分を示す一部を切り欠いた斜視図である。
【図６】捩れ樹脂被覆管の他の態様を示す横断面図である。
【図７】捩れ樹脂被覆管のその他の態様を示す横断面図である。
【図８】捩れ樹脂被覆管を用いて構成された植物栽培用の直線状支柱を示す正面図である。
【図９】その上下端側部分を示す一部断面拡大図である。
【図１０】その直線状支柱を植木鉢の土に立設した状態を示す斜視図である。
【図１１】本発明に係る直線状支柱と横連結杆とを用いて構成された柵状物を示す斜視図である。
【図１２】その横連結杆を示す斜視図である。
【図１３】その両端側部分を示す一部断面拡大図である。
【図１４】直線状支柱と横連結杆との交差部分をバンド部材で固定した状態を示す斜視図である。
【図１５】本発明に係る捩れ樹脂被覆管を用いて構成された植物支持用のアーチ状支柱を示す斜視図である。
【図１６】そのアーチ状支柱の上側部分を拡大して示す正面図である。
【図１７】そのアーチ状支柱の下端部分を拡大して示す一部断面正面図である。
【図１８】そのアーチ状支柱の中間部分を拡大して示す一部を切り欠いた正面図である。
【図１９】２本のアーチ状支柱の上端部分相互を当接状態で交差させた斜視図である。
【図２０】その部分拡大図である。
【図２１】その交差部分を結着材で結着した状態を示す斜視図である。
【図２２】アーチ状支柱の製造方法を説明する斜視図である。
【図２３】２本のアーチ状支柱を用いて形成した植物支持枠体を、その使用状態で示す斜視図である。
【図２４】２本のアーチ状支柱を用いて形成した植物支持枠体を、その他の使用状態で示す斜視図である。
【図２５】アーチ状支柱と横連結杆を用いて構成した柵状物を示す斜視図である。
【図２６】アーチ状支柱と直線状支柱と横連結杆を用いて構成した柵状物を示す斜視図である。
【図２７】捩れ樹脂被覆管のその他の態様を示す横断面図である。
【図２８】捩れ樹脂被覆管のその他の態様を示す横断面図である。
【図２９】アーチ状支柱のアーチ状連結部の他の構成を示す正面図である。
【図３０】樹脂被覆部が、その全長に亘って螺旋状に捩れたアーチ状支柱を示す正面図である。
【図３１】従来の植物栽培用樹脂被覆管の一例を示す断面図である。
【図３２】従来の植物栽培用樹脂被覆管の他の例をその使用状態で示す斜視図である。
【図３３】その部分拡大図である。
【図３４】その横断面図である。
【図３５】金属棒材をその軸線回りに螺旋状に捩ってなる従来の植物栽培用支柱を示す部分斜視図である。
【図３６】鋼製の円形管からなる管材の表面を樹脂被覆してなる角形樹脂被覆管を示す部分斜視図である。
【発明を実施するための形態】
【実施例１】
【００１９】
図１〜３において本発明に係る捩れ樹脂被覆管１は、植物栽培の為に、直線状形態や屈曲形態等の各種の形態で使用されるものである。鋼製の円形管からなる芯管２の外表面３が樹脂により密着状態に被覆されることによって樹脂被覆部４が形成されており、該樹脂被覆部４は、図３に示すように、横断面外形が多角形状に形成されている。そして該樹脂被覆部４は、前記芯管２の長さ方向の全体乃至一部分で該芯管２の軸線回りに螺旋状に捩れて螺旋状捩れ部５が形成されており、この捩れは樹脂被覆部４のみで行われていて芯管２は捩れていない。以下、これをより具体的に説明する。
【００２０】
図４〜５は、直線状に延長する捩れ樹脂被覆管１を示すものであり、外径が１２．７ｍｍ程度の直線状を呈する円形管からなる芯管２の外表面３が、例えば黒色に着色された塩化ビニルにより密着状態に被覆されることによって、例えば図３に示すような、横断面外形が正六角形状の樹脂被覆部４が形成されている。該樹脂被覆部４の薄肉部６の肉厚は０．４ｍｍ程度に設定されると共にその角部分（横断面三角形状の厚肉部）７は、その最大肉厚が１．５ｍｍ程度に設定されている。かかる構成を有する樹脂被覆部４は、前記芯管２の長さ方向の全長に亘って、該芯管２の軸線回りに螺旋状に捩れている。その捩れのピッチは４００〜６００ｍｍに、例えば５００ｍｍ程度に設定されている。このようにして構成された樹脂被覆部４は、その角部分７及び隣り合う角部分７，７間の平滑面９が一様に捩れて、前記螺旋状捩れ部５が形成されている。該捩れ樹脂被覆管１の全長は例えば１５０〜２３０ｃｍに設定されている。
【００２１】
本実施例で示すように、樹脂被覆部４を、横断面外形が正六角形状を呈するように構成する場合は、例えば図６に示す四角形状や、図７に示す五角形状に構成する場合に比し、樹脂使用量を少なくしながら、角張った印象の螺旋状の捩れ形態を明瞭に表現できることになる。ここで、樹脂使用量を少なくできる理由を説明する。多角形状の角部分７，７間の樹脂被覆部４の肉厚は、前記螺旋状捩れ部５を形成する際に被覆樹脂が破れて芯管２が露出することがないように一定以上の厚さを確保しなければならないのであるが、横断面外形を四角形状や五角形状に形成する場合は、該角部分７が厚肉とならざるを得ない。その結果、樹脂使用量が多くなるのであるが、横断面外形を六角形状に形成する場合は、角部分７の肉厚を比較的薄く形成でき、従って樹脂使用量を少なくできるのである。
【００２２】
前記構成を有する捩れ樹脂被覆管１は、例えば押出成型機を用いて製造することができる。一つの製造方法としては、押出成型機に導入される芯管２の外表面３を、金型から導入される樹脂で被覆するのであるが、その際に、該芯管２を一定速度で回転させながら押出成型機に導入することによって行うことができる。他の製造方法としては、芯管２を回転させずこれを押出成型機に導入し、該芯管２の導入に伴い、樹脂を押出す金型を該芯管２の軸線回りに回転させて行うことができる。
【００２３】
このようにして製造された捩れ樹脂被覆管１は、前記芯管２は何ら捩れておらず、捩れは樹脂被覆部４でのみ行われているために、該芯管２によって捩れ樹脂被覆管１の強度を所要に確保できながら、外観的には樹脂被覆管の全体が捩れているかのような、デザイン性に優れた捩れ樹脂被覆管を提供できることになる。
【００２４】
図８〜９は、かかる捩れ樹脂被覆管１を植物栽培用の直線状支柱１０として用いる場合を示すものであり該捩れ樹脂被覆管１の下端部１１には、図９に示すように、例えば半丸の樹脂キャップ１２の軸部１３が圧入されると共に、該捩れ樹脂被覆管１の上端部１５には擬宝珠１６の軸部１７が圧入されている。該直線状支柱１０の長さは例えば２１０ｃｍに設定されている。
【００２５】
図１０は、該直線状支柱１０を、その下端部分１９を、植木鉢２０に収容した土２１や地面に２０ｃｍ程度の深さに押し込んで立設した状態を示す。この直線状支柱１０によって、例えば、薔薇やクレマチス、朝顔等の蔓性植物を栽培できる。該直線状支柱１０の螺旋状捩れ部５は、蔓性植物の茎や蔓が螺旋状の捩れに沿って上方向に伸長するように方向付けできるため、植物の成長を促すことができる。特に本実施例においては、該螺旋状捩れ部５も含めた直線状支柱１０の全体が黒色に着色されているため、特に薔薇を栽培するときは、黒色の直線状支柱１０と薔薇とが色合いの面でマッチするので、その栽培状態の見栄えを一層向上させることができる。
【００２６】
図１１は、かかる構成を有する直線状支柱１０の例えば４本を用い、これらを所要間隔を置いて（例えば３０〜５０ｃｍ程度の間隔を置いて）その下端部分１９を地面２２に押し込んで立設状態として支柱列２３を形成して後、該支柱列２３の全体を横連結杆２５で連結して柵状物２６を形成した場合を示すものである。該横連結杆２５は、図１２〜１３に示すように、前記捩れ樹脂被覆管１の両端部２７，２６に、例えば半丸の樹脂キャップ１２の軸部１３が圧入されている。そして、該直線状支柱１０と該横連結杆２５との交差部分２８は、図１１、図１４に示すように、例えば、弾性変形可能で開閉できるバンド部材２９を用いて固定されている。かかる柵状物２６の各直線状支柱１０で薔薇等の蔓性植物を栽培できる。
【００２７】
図１５〜１８は、本発明に係る捩れ樹脂被覆管１が植物支持用のアーチ状支柱３０として応用された場合を示すものである。
【００２８】
該アーチ状支柱３０は、本実施例においては図１５〜１６に示すように、間隔を隔てる直線状の支柱部３２，３２の上端相互を、逆Ｕ字状をなすアーチ状連結部３３で連結してなる。そして、図１６、図１７に示すように、該アーチ状連結部３３及び、前記支柱部３２，３２の下端側の部分３５，３５は、前記樹脂被覆部（横断面外形が正六角形状を呈する）４が捩れておらず、図１６、図２０に示すように、該アーチ状連結部３３の上端部分３６の上側の面３７と下側の面３８は水平な平滑面（隣り合う角部分７，７間に形成された水平な平滑面）として形成されている。そして前記支柱部３２，３２の、前記下端側の部分３５，３５を除いた、直線状を呈する支柱上側部分４０，４０においては、図１５、図１８に示すように、例えば図３に示すような断面外形が正六角形状を呈する前記樹脂被覆部４が、前記支柱部３２，３２の軸線回り（前記芯管２の軸線回り）に螺旋状に捩れて、前記螺旋状捩れ部５が形成されている。該アーチ状支柱３０の高さは例えば２１０ｃｍ程度に設定され、両支柱部３２，３２間の間隔は例えば４０ｃｍ程度に設定されている。
【００２９】
該上端部分３６の上側の面３７と下側の面３８を水平な平滑面を呈するように構成するのは次の理由による。即ち、２本のアーチ状支柱３０，３０を、図１９〜２０に示すように、その上端部分３６，３６相互を当接状態で交差させ、例えば図２１に示すように該交差部分３９を樹脂被覆の針金等の結着材４１で結着する際に、両上端部分３６、３６を面接触の安定交差状態とすると共に該両上端部分３６、３６の結着を安定的に行わせるためである。又、前記支柱部３２，３２の前記下端側の部分３５，３５を螺旋状に捩っていない理由は、店舗のレジ通過の際等において、シールを巻き付けやすくする部分を作るためである。
【００３０】
そして、前記両支柱部３２，３２の下端部４３，４３には、図１７に示すように、半丸の樹脂キャップ１２の軸部１３が圧入されている。
【００３１】
このようにして構成されたアーチ状支柱３０（捩れ樹脂被覆管１）は、前記芯管２は何ら捩れておらず、捩れは樹脂被覆部４でのみ行われている。かかることから、該芯管２によって捩れ樹脂被覆管１の強度が所要に確保されながら、外観的には樹脂被覆管の全体が捩れているかのようなデザイン性に優れたアーチ状支柱３０（図１５）を提供できることになる。
【００３２】
前記アーチ状支柱３０は、例えば図２２に示す支柱形成管材４６を用いて構成されている。該支柱形成管材４６は、鋼製の直線状の円形管からなる芯管２の外表面３が、前記と同様にして樹脂により密着状態に被覆されることにより、例えば図３に示すように、横断面外形が正六角形状を呈する樹脂被覆部４が形成されてなる。そして該支柱形成管材４６は、中間の連結部形成部分４７とその両側の支柱部形成部分４９，４９とからなり、該連結部形成部分４７と、該支柱部形成部分４９，４９の端側部分５０，５０を除く部分５１，５１で、横断面外形が正六角形状を呈する前記樹脂被覆部４が前記芯管２の軸線回りに螺旋状に捩れて螺旋状の捩れ部５が形成されている。前記芯管２が捩れていないのは前記と同様である。
【００３３】
かかる構成を有する支柱形成管材４６の前記中間の連結部形成部分４７をベンダーでＵ字状に屈曲することによって前記アーチ状連結部３３を形成すると、前記アーチ状支柱３０を構成できる。このように屈曲する際、該アーチ状支柱３０を立設した状態において、図１９〜２０に示すように、前記上端部分３６の上側の面３７と下側の面３８が水平な平滑面を呈し得るように、該連結部形成部分４７の屈曲向きを考慮する。そして、該連結部形成部分４７においては前記樹脂被覆部４が螺旋状に捩れていないため、かかるＵ字状の屈曲を精度よく行うことができる。
【００３４】
図２３は、かかる構成を有する２本のアーチ状支柱３０，３０を用いて形成した植物支持枠体３１を示している。両アーチ状支柱３０，３０は、図２１、図２３に示すように、そのアーチ状連結部３３，３３の上端部分３６，３６相互を当接させて略直角に交差した状態とされ、その交差部分３９が前記結着材４１で結着されている。そして、各アーチ状支柱３０，３０の前記支柱部３２，３２の下端部分４５，４５が、前記植木鉢２０内の土２１や地面に、例えば２０ｃｍ程度の深さに押し込まれている。このようにして構成された植物支持枠体３１は、アーチ状連結部３３，３３相互が面接触の安定的な交差状態で結着材４７により確実に結着されて一体化しており、構造的に安定している。又、このように構成された植物支持枠体３１は、例えば図２４に示すように、植物支持枠体３１の下部空間５０に植木鉢２０を納めた状態で芝生面や地面等の設置面５１に立設されることもある。
【００３５】
このようにして構成した植物支持枠体３１で、例えば薔薇等の蔓性植物を栽培するのであるが、蔓性植物は、その茎や蔓が前記支柱部３２の螺旋状の捩れに沿って上方向に伸びることができるため、その成長を促すことができる。特に本実施例においては、前記アーチ状支柱３０，３０の全体が黒色に着色されているため、特に薔薇を栽培するときは、黒色の植物支持枠体３１と薔薇とが色合いの面でマッチするので、その栽培状態の見栄えを一層向上させることができる。
【００３６】
図２５は、前記アーチ状支柱３０の例えば３本を用い、これらを所要間隔を置いて（例えば４０ｃｍ程度の間隔を置いて）その下端部分４９，４９を地面２０に押し込んで立設状態として支柱列５２を形成して後、該支柱列５２の全体を、前記と同様構成の横連結杆２５で連結して柵状物５３を形成した場合を示すものである。そして、該アーチ状支柱３０と該横連結杆２５との交差部分５５は、図１４に示すと同様にして、例えばバンド部材２９で固定されている。図２６は、該アーチ状支柱３０と前記直線状支柱１０を組合わせて構成された柵状物５３を示すものであり、例えば、両支柱が交互に立設されて支柱列５６が形成されると共に、該支柱列５６の全体が、前記と同様構成の横連結杆２５で連結されている。かかる柵状物５３の各アーチ状支柱３０で薔薇等の蔓性植物を栽培できる。
【実施例２】
【００３７】
本発明は、前記実施例で示したものに限定されるものでは決してなく、「特許請求の範囲」の記載内で種々の設計変更が可能であることはいうまでもない。その一例を挙げれば次のようである。
【００３８】
(1) 前記樹脂被覆部４は、前記実施例においては横断面外形が正六角形状に形成されているが、横断面外形を、図２７に示す三角形状や図６に示す四角形状、図７に示す五角形状、図２８に示す八角形状等の各種の多角形状に形成することもできる。
【００３９】
(2) 前記アーチ状連結部３３は、図１５に示すように、その全体が螺旋状に捩じられていない状態に構成されることの他、アーチ状支柱２７，２７を交差させて植物支持枠体２９を構成する場合における該交差部分４２となる上端部分２８のみを、螺旋状に捩れていない部分とし、その他の部分を、螺旋状に捩れた状態に形成してもよい。
【００４０】
(3) 前記アーチ状連結部３３は、図２９に示すように、その全長に亘って螺旋状に捩れた状態に構成されることもある。又、図３０に示すように、樹脂被覆部４の全長に亘って螺旋状に捩れた状態に構成されることもある。
【００４１】
(4) 前記捩れのピッチは、１本の捩れ樹脂被覆管において変化させることもできる。
【００４２】
(5) 捩れ樹脂被覆管の長さは、その使用目的に応じて適宜設定できる。
【符号の説明】
【００４３】
１  樹脂被覆管
２  芯管
３  外表面
４  樹脂被覆部
５  螺旋状捩れ部
６  薄肉部
７  角部分
９  平滑面
１０  直線状支柱
３０  アーチ状支柱
３２  支柱部
３３  アーチ状連結部
３６  上端部分
３７  上側の面
３８  下側の面
４６  支柱形成管材
４７  連結部形成部分
４９  支柱部形成部分
【要約】 
【課題】植物栽培用の支柱等としての強度を所要に発揮できながら斬新な外観を呈し、又、蔓性植物を良好に成長させ得る、植物栽培用の捩れ樹脂被覆管を提供する。
【解決手段】鋼製の円形管からなる芯管２の外表面３が樹脂により密着状態に被覆されることによって樹脂被覆部４が形成されている。樹脂被覆部４は、横断面外形が多角形状に形成されている。樹脂被覆部４は、芯管２の長さ方向の全体乃至一部分が、芯管２の軸線回りに螺旋状に捩れており、この捩れは樹脂被覆部４のみで行われており芯管２は捩れていない。
【選択図】図５【図１】
0004620177.tif 000002
【図２】
0004620177.tif 000003
【図３】
0004620177.tif 000004
【図４】
0004620177.tif 000005
【図５】
0004620177.tif 000006
【図６】
0004620177.tif 000007
【図７】
0004620177.tif 000008
【図８】
0004620177.tif 000009
【図９】
0004620177.tif 000010
【図１０】
0004620177.tif 000011
【図１１】
0004620177.tif 000012
【図１２】
0004620177.tif 000013
【図１３】
0004620177.tif 000014
【図１４】
0004620177.tif 000015
【図１５】
0004620177.tif 000016
【図１６】
0004620177.tif 000017
【図１７】
0004620177.tif 000018
【図１８】
0004620177.tif 000019
【図１９】
0004620177.tif 000020
【図２０】
0004620177.tif 000021
【図２１】
0004620177.tif 000022
【図２２】
0004620177.tif 000023
【図２３】
0004620177.tif 000024
【図２４】
0004620177.tif 000025
【図２５】
0004620177.tif 000026
【図２６】
0004620177.tif 000027
【図２７】
0004620177.tif 000028
【図２８】
0004620177.tif 000029
【図２９】
0004620177.tif 000030
【図３０】
0004620177.tif 000031
【図３１】
0004620177.tif 000032
【図３２】
0004620177.tif 000033
【図３３】
0004620177.tif 000034
【図３４】
0004620177.tif 000035
【図３５】
0004620177.tif 000036
【図３６】
0004620177.tif 000037